(57)【要約】【課題】  既設のＣＡＤの結果から画像所見レポートを生成する。【解決手段】  医用画像の中の疾患候補領域を検出しその領域を前記医用画像に対応づけることで医師の画像診断を支援するＣＡＤ１０１と、ＣＡＤ１０１により対応づけられた前記疾患候補領域と前記医用画像とその付帯情報とから画像所見レポートを生成するレポート作成装置１０２と、レポート作成装置１０２により生成された画像所見レポートを表示するクライアント１０５と、ＣＡＤ１０１とレポート作成装置１０２とをそれぞれ複数有しそれぞれが接続されるネットワークとを備える。【選択図】        図１
2005056296.tif 000002
【特許請求の範囲】
【請求項１】
医用画像に関する読影所見のレポートを作成する医用画像レポート作成装置において、前記医用画像の中の疾患候補領域を検出しその領域を前記医用画像に対応づけることで医師の画像診断を支援する画像診断支援手段と、この画像診断支援手段により対応づけられた前記疾患候補領域と前記医用画像とその付帯情報とから画像所見レポートを生成する画像所見レポート生成手段と、この画像所見レポート生成手段により生成された画像所見レポートを表示する表示手段と、前記画像診断支援手段と前記画像所見レポート生成手段とをそれぞれ複数有しそれぞれが接続されるネットワークとを備えたことを特徴とする医用画像レポート作成装置。
【請求項２】
予め医用画像上の濃度，大きさ，検出部位に基づいた疾患データを保持する手段と、この保持手段により保持された疾患データと前記画像診断支援手段の検出結果を比較する手段と、この比較手段により比較された疾患候補領域の疾患の確度情報を生成する手段とを備え、前記表示手段は、前記確度情報生成手段により生成された確度情報を表示することを特徴とする請求項１に記載の医用画像レポート作成装置。
【請求項３】
前記複数の医用画像レポート生成手段の個別の負荷に応じて前記画像診断支援手段の結果を送信する医用画像レポート生成手段を選択する手段と、を備えたことを特徴とする請求項１，２に記載の医用画像レポート作成装置。
【発明の詳細な説明】
【技術分野】
【０００１】
本発明は，医師が画像診断時に作成する医用画像レポート作成装置に係り、特に画像診断支援（Computer Aided Detection：CAD）と組み合わせた医用画像レポート作成装置に関するものである。
【背景技術】
【０００２】
近年、患者の疾患候補を，診断及び診療業務を支援するCADが普及している。このCADの検出結果を読影のワークフローに取り込み、医用画像レポートを作成したいというニーズがある。
このニーズを満足するため、CADの結果からレポートを生成するものが[特許文献1]に提案されている。
【特許文献１】特開2003-033327号公報
【発明の開示】
【発明が解決しようとする課題】
【０００３】
しかし、上記従来技術では，レポート作成機能のないCADが既設されていた場合に用いることができない点、複数のタスクをCADで行いレポートを作成しなければならないとき、読影医がそれぞれのタスク処理を指示しなければならないので操作が煩雑であるという点が配慮されていない。
【課題を解決するための手段】
【０００４】
前記課題を解決するために、本発明は以下のように構成される。
（1）医用画像に関する読影所見のレポートを作成する医用画像レポート作成装置において、前記医用画像の中の疾患候補領域を検出しその領域を前記医用画像に対応づけることで医師の画像診断を支援する画像診断支援手段と、この画像診断支援手段により対応づけられた前記疾患候補領域と前記医用画像とその付帯情報とから画像所見レポートを生成する画像所見レポート生成手段と、この画像所見レポート生成手段により生成された画像所見レポートを表示する表示手段と、前記画像診断支援手段と前記画像所見レポート生成手段とをそれぞれ複数有しそれぞれが接続されるネットワークとを備えている。
これにより、前記画像診断支援手段（CAD）と前記画像所見レポート生成手段とがネットワーク接続されていることから、CADにレポート作成機能の有無に拘わらずに既設のCADの結果から画像所見レポートが生成できる。
【０００５】
（2）好ましくは、前記(1)において、予め医用画像上の濃度，大きさ，検出部位に基づいた疾患データを保持する手段と、この保持手段により保持された疾患データと前記画像診断支援手段の検出結果を比較する手段と、この比較手段により比較された疾患候補領域の疾患の確度情報を生成する手段とを備え、前記表示手段は、前記確度情報生成手段により生成された確度情報を表示する。
これにより、前記保持手段に保持された疾患データとの比較対象が明確となり、より精度の高い診断情報を読影医に提供することができる。
【０００６】
（3）さらに、好ましくは、前記(1) (2)において、前記複数の医用画像レポート生成手段の個別の負荷に応じて前記画像診断支援手段の結果を送信する医用画像レポート生成手段を選択する手段と、を備えている。
これにより、複数のタスクが競合した場合、複数の医用画像レポート生成手段に分散してレポートを作成することが可能となり、読影医の操作を改善することが可能となる。
【発明の効果】
【０００７】
以上、本発明によれば、CADにレポート作成機能の有無に拘わらずに既設のCADの結果から画像所見レポートが生成できる。また、読影医の操作を改善することが可能となる。
【発明を実施するための最良の形態】
【０００８】
本発明について図面を用いて説明する。図1は、医用画像レポート作成装置のシステムの基本構成を示したブロック図である。
【０００９】
医用画像レポート作成装置は、医用画像の管理を行う画像管理サーバ機能を併せ持つCAD101と、CAD101とネットワーク接続されレポート作成装置102と、レポート作成装置102とネットワーク接続されレポート作成装置102により作成されたレポートを保存し、Webに配信するレポートサーバ103と、レポートサーバ103とネットワーク接続され、病院内LANに接続する病院情報システムのサーバ104及びクライアント105からなる。CAD101は、画像管理サーバ内の画像を基に異常部位の検出を行う。CAD101により検出された結果は、異常部位の位置、大きさ、濃度等の情報を持ち、画像と一意に対応する。ここでは、CADの検出結果を、リアルタイムに、離れた所にあるレポート作成装置102に転送し、検出結果や前記医用画像とその付帯情報とを基にレポートを作成する。レポート作成装置102により作成されたレポートには、異常検出をしたスライスだけを抽出し、JPEG等で画像サイズを圧縮して参照画像として添付してレポートサーバ103に記憶する。そして、検出結果から異常部位の範囲を囲む円でマークし、濃度、発生部位、大きさなどから推定される疾患を、予め作成してあるテーブルから検索し、可能性のある上位数件の疾患名を、疾患の可能性と含めて所見として記載する。レポート作成装置102によりレポートが作成されたというイベントは、ステータス情報として、病院情報システムのサーバ104に送られ、該当患者に対してレポート作成完了というステータスが記録される。
【００１０】
病院情報システムのクライアント105は、該当患者のレポートが作成済みであることを確認して、レポートサーバ103にレポートの閲覧を要求する。作成されたレポートは、レポートサーバ103に記憶される。レポートサーバ103は、ネットワークを通じて、要求された患者のレポートをHTML形式やXML形式に変換する。レポートサーバ103は、Webサーバとしても機能してもよく、HTML形式等に変換したレポートは、HTTP等のプロトコルに則り、Webページとして要求基に配信される。
【００１１】
図2は、図1と異なる実施形態を示すブロック図で、ネットワーク中にCADが複数台存在する場合の例である。CAD201〜204は、そのアルゴリズムの複雑さから、対象とする疾患及び部位を限定した物であることが多い。例えば、CAD201は、肺がん専用のCADであり、CAD202は大腸専用、CAD203は乳房専用とする。夫々のCAD201〜203が検出した結果は、各CADの専門性とは無関係に、検出結果と画像からレポート作成装置205によりレポートを生成し、その生成したレポートをレポートサーバ206に保存、院内の全てのクライアント207〜210から、必要に応じて閲覧できる。
【００１２】
もっとも、レポート作成装置205により作成されたレポートに添付される参照画像は、高精彩画像ではない為、これを用いて画像診断に用いることは困難である。あくまでも参照画像であり、読影医が高精細画像を用いた画像診断を行う際の支援、診察室の医師が他の検査との比較の為の参照に用いる。あるいは、精密検査前のスクリーニング等として用いるべきであるのはいうまでもない。
【００１３】
図3は、図2と異なる実施形態を示すブロック図で、1つ以上のCAD301に対して、複数のレポート作成装置303〜306が繋がる例である。ネットワークで接続されるシステムが順次に機能する場合、CAD301のコンピュータとしての能力に比べてレポート作成装置303〜306のコンピュータの能力が低いとき、レポート作成装置303〜306の能力がネットワーク全体のデータ処理能力を低下させることとなる。ここでは、レポート作成装置303〜306を複数配置し、夫々のレポート作成装置の稼動状態に応じて、CADの結果を、余裕のあるレポート作成装置に振り分け、負荷分散を行い、サーバ307にデータを引き渡し、さらにクライアント308〜30Aに引き渡してシステム全体としてのデータ処理能力を向上させることが可能となる。
【００１４】
このようにすれば、レポート作成装置とCADの間に、レポート作成装置の負荷状態（CPU負荷、メモリ占有率、ネットワークトラフィック）をモニタする選別手段302を設け、CAD301から結果が出力されると、結果の送付先を適宜変更する。このようにする事で、レポート作成装置301は、比較的安価で低い仕様のハードウエアを用いてもシステム全体のデータ処理能力を向上させることが可能となる。
【００１５】
上記実施形態によれば、CADを専用端末以外の離れた所でも利用でき、かつ複数のCADを、ネットワークを通じて統括的に利用し、CADの結果をレポート化することで、CADを読影ワークフローの中に組み込んで、読影医の負担を低減することが可能となる。
【図面の簡単な説明】
【００１６】
【図１】本発明の実施の一形態を示す図。
【図２】図1と異なる実施形態を示すブロック図。
【図３】図1及び図2と異なる実施形態を示すブロック図。
【符号の説明】
【００１７】
１０１…CAD、１０２…レポート作成装置、１０３…レポートサーバ、１０４…院内サーバ、１０５…クライアント
【図１】
2005056296.tif 000003
【図２】
2005056296.tif 000004
【図３】
2005056296.tif 000005